(57)【特許請求の範囲】
【請求項１】
１文字種に対して複数の辞書を有する文字認識装置であって、１文字分の文字パターンを入力し、特徴量を抽出して格納する文字特徴格納部と、
前記抽出された特徴量と辞書部の複数の標準特徴量との距離計算をそれぞれ行い、該計算で得たそれぞれの距離に基づいて複数の候補文字を取りだし、当該各候補文字のコードおよび距離を格納する認識部と、
文字種毎に構成された複数の、文字コード、閾値、及び該文字の標準特徴量を含む、辞書を有する辞書部と、
（１）  認識部で得た第１候補文字のコードと第２候補文字のコードとを比較し、
（２）  文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが一致しない場合に、第１候補文字の距離と当該第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する判定部と、
を有することを特徴とする文字認識装置。
【請求項２】
請求項１記載の文字認識装置において、判定部が、
（１）  認識部で得た第１候補文字のコードと第２候補文字のコードとを比較し、
（２）  文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが一致しない場合に、第１候補文字のコードと第３候補文字のコードを比較し、
（３１）  第１候補文字のコードと第３候補文字の文字コードが一致する場合に第１候補文字の距離と第１候補文字に対応する辞書の第２の閾値とを比較し、  第１候補文字の距離が該第２の閾値以下の場合に第１候補文字のコードを認識  結果として出力し、第１候補文字の距離が該第１の閾値を越える場合にはリジ  ェクト信号を出力し、
（３２）  第１候補文字のコードと第３候補文字の文字コードが一致しない場合に、第１候補文字の距離と当該第１候補文字に対応する第３の閾値を比較し、  第１候補文字の距離が該第３の閾値以下の場合に第１候補文字のコードを認識  結果として出力し、第１候補文字の距離が該第３の閾値を越える場合にはリジ  ェクト信号を出力する判定部と、を有することを特徴とする文字認識装置。
【請求項３】
請求項１記載の文字認識装置において、ｉを３以上の自然数とするとき、判定部が、
（１）  認識部で第１候補となった候補文字のコード，第２候補文字のコード，・・・，第ｉ候補文字のコードとを比較し、
（２）  全ての文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが１つでも一致しない場合に、第１候補文字の距離と当該第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する判定部と、を有することを特徴とする文字認識装置。
【発明の詳細な説明】
【０００１】
【産業上の利用分野】
本発明は文字認識装置に関し、特に、文字パターンの認識結果の正誤を評価し、その結果を出力する文字認識装置に関する。
【０００２】
【従来の技術】
従来の文字認識装置として、認識処理において読取った文字パターン（未知の文字）と候補文字の特徴を比較し、比較結果としてのパターン間の距離を得て候補文字のコードを未知の文字候補として出力するか否かのリジェクト判定を行うものがある。この場合、第１候補文字の距離を閾値と比較し、第１候補文字の距離が閾値以下の場合に第１候補文字のコードを未知の文字コードとして出力し、第１候補文字の距離が閾値より大きい場合にはリジェクト信号を出していた。
また、特開平３ー４０１８６号公報に開示の文字認識装置では、第１の辞書を最も使用頻度の高い文字種についての標準パターンで構成し、第２の辞書以降は順に使用頻度が低くなる文字種についての標準パターンで構成した多段構成の辞書を用いて認識処理を行っている。この場合、認識処理は先ず第１の辞書で行い、第１候補文字がリジェクトされた場合に第２の辞書で認識処理を行い、更に、第２の辞書でもリジェクトされた場合に第３の辞書で認識処理を行なっている。
【０００３】
【発明が解決しようとする課題】
前述したような従来技術の問題点として第１候補文字が正解であっても距離が閾値以上の場合にはリジェクト信号が出力されてしまうという問題点があった。
この問題点は閾値を大きめに取ることにより軽減される（すなわち、正解文字に対してリジェクト信号が出力される場合が減少する）が、この場合、リジェクト信号を出力すべき信号についてもリジェクト信号が出力されにくくなり、誤認識率が増加するという不都合が生じるので得策ではない。
また、特開平３−４０１８６号公報に開示の文字認識装置については類似文字の場合、リジェクトの可否判定のための閾値が近い（閾値間の差が小さい）ため第１の辞書でリジェクトされた文字は正解であっても第２の辞書以降でもリジェクトされる可能性が高いという問題点があった。
【０００４】
上記問題点を解決するために提案された文字認識装置に平成５年９月３０日出願の特願平５−２６８１８９に記載の文字認識装置がある。
特願平５−２６８１８９に記載の文字認識装置では、第１の発明として文字認識装置を、１カテゴリ（１文字種）に対して複数の辞書を用意するマルチ・テンプレート構成の文字認識装置において、第１候補文字の距離と閾値との比較に加えて、第１候補文字の距離が閾値を越える場合に第１候補文字のコードと他の候補文字のコードを比較し、第１候補文字のコードと他の候補文字のコードとの一致・不一致によりリジェクト判定を行うように構成し、リジェクト判定性能の向上を図っている。
【０００５】
しかしながら、特願平５−２６８１８９に記載の文字認識装置では、第１候補文字の距離とその第１候補文字に対応する第１の閾値とを比較し、距離が第１の閾値より大きい場合には第１候補文字と他の候補文字のコードを比較し、第１候補文字と他の候補文字のコードが一致した場合には無条件に候補文字のコードを出力していた。
このため、認識対象である未知の文字が実際には第１候補文字と異なっていても第１候補文字の距離が第１の閾値以上であって第１候補文字のコードが他の候補文字のコードと一致すれば第１候補文字のコードを出力するので結果として誤認識を生じるという問題点があった。
【０００６】
例えば、以下の条件で読取ったものとする。
未知の文字    ：  ８
第１候補文字  ：  Ｂ    未知の文字との距離  ：  ２１０
第２候補文字  ：  Ｂ    未知の文字との距離  ：  ２５０
第１の閾値    ：  ２００
第２の閾値    ：  １００
【０００７】
この場合、特願平５−２６８１８９に記載の文字認識装置では、第１候補文字「Ｂ」の距離「２１０」と第１の閾値「２００」とを比較すると距離が第１の閾値より大きいので、第１候補文字「Ｂ」と第２候補文字「Ｂ」のコードを比較する。上記例の場合、本来は未知の文字「８」と第１候補文字「Ｂ」とは文字種が異なるのでリジェクトされるべきであるが、第１候補文字と他の候補文字のコードが一致しているので認識結果として候補文字のコードを出力することとなり、このため、認識対象である未知の文字「８」が文字「Ｂ」と誤認識される結果を生じることとなる。
【０００８】
本発明は、上記問題点に鑑みてなされたものであり、１カテゴリ（１文字種）に対して複数の辞書を用意するマルチ・テンプレート構成の文字認識装置において、最初に第１候補文字のコードと第２候補文字のコードの比較を行うことによってリジェクト判定性能の向上および誤認識率の低減を実現する文字認識装置の提供を目的とする。
【０００９】
【課題を解決するための手段】
上記の目的を達成するために第１の発明の文字認識装置は、１文字種に対して複数の辞書を有する文字認識装置であって、１文字分の文字パターンを入力し、特徴量を抽出して格納する文字特徴格納部と、抽出された特徴量と辞書部の複数の標準特徴量との距離計算をそれぞれ行い、該計算で得たそれぞれの距離に基づいて複数の候補文字を取りだし、当該各候補文字のコードおよび距離を格納する認識部と、文字種毎に構成された複数の、文字コード、閾値、及び該文字の標準特徴量を含む、辞書を有する辞書部と、
（１）  認識部で得た第１候補文字のコードと第２候補文字のコードとを比較し、（２）  文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが一致しない場合に、第１候補文字の距離と当該第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する判定部と、を有することを特徴とする。
【００１０】
第２の発明は、上記第１の発明の文字認識装置において、判定部が、
（１）  認識部で得た第１候補文字のコードと第２候補文字のコードとを比較し、（２）  文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが一致しない場合に、第１候補文字のコードと第３候補文字のコードを比較し、
（３１）  第１候補文字のコードと第３候補文字の文字コードが一致する場合に第１候補文字の距離と第１候補文字に対応する辞書の第２の閾値とを比較し、  第１候補文字の距離が該第２の閾値以下の場合に第１候補文字のコードを認識  結果として出力し、第１候補文字の距離が該第１の閾値を越える場合にはリジ  ェクト信号を出力し、
（３２）  第１候補文字のコードと第３候補文字の文字コードが一致しない場合に、第１候補文字の距離と当該第１候補文字に対応する第３の閾値を比較し、  第１候補文字の距離が該第３の閾値以下の場合に第１候補文字のコードを認識  結果として出力し、第１候補文字の距離が該第３の閾値を越える場合にはリジ  ェクト信号を出力する判定部と、を有することを特徴とする。
【００１１】
第３の発明は上記第１の発明の文字認識装置において、ｉを３以上の自然数とするとき、判定部が、
（１）  認識部で第１候補となった候補文字のコード，第２候補文字のコード，・・・，第ｉ候補文字のコードとを比較し、
（２）  全ての文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、
（３）  文字コードが１つでも一致しない場合に、第１候補文字の距離と当該第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する判定部と、を有することを特徴とする。
【００１２】
【作用】
上記構成により、第１の発明の文字認識装置は判定部で最初に第１候補文字のコードと第２候補文字のコードの比較を行い、コードが一致する場合に第１候補文字の距離とその第１候補文字に対応する第１の閾値とを比較し、距離が第１の閾値より小さい場合には第１候補文字を認識文字として出力し、距離が第１の閾値より大きい場合にはリジェクト信号を出力する。また、文字コードが一致しない場合には第１候補文字の距離と第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する。従って、前述した従来技術のような文字認識装置や第１候補文字と第２候補文字のコードが一致した場合に無条件に候補文字のコードを出力する特願平５−２６８１８９に記載の文字認識装置と比べて誤認識率が低減する。
【００１３】
第２の発明の文字認識装置は、判定部が、最初の比較で文字コードが一致しない場合に、更に、第１候補文字のコードと第３候補文字のコードを比較し、これら文字コードが一致する場合に第１候補文字の距離と第１候補文字に対応する辞書の第２の閾値とを比較し、第１候補文字の距離が該第２の閾値以下の場合に第１候補文字のコードを認識結果として出力し、第１候補文字の距離が該第１の閾値を越える場合にはリジェクト信号を出力する。また、これら文字コードが一致しない場合には第１候補文字の距離と当該第１候補文字に対応する第３の閾値を比較し、第１候補文字の距離が該第３の閾値以下の場合に第１候補文字のコードを認識結果として出力し、第１候補文字の距離が該第３の閾値を越える場合にはリジェクト信号を出力する。従って、誤認識率の低減に加えリジェクト判定性能のいっそうの向上が実現する。
【００１４】
第３の発明の文字認識装置は、判定部が、最初の比較で認識部で第１候補となった候補文字のコード，第２候補文字のコード，・・・，第ｉ候補文字のコードとを比較し、全ての文字コードが一致する場合に第１候補文字の距離と第１候補文字に対応する辞書の第１の閾値とを比較し、第１候補文字の距離が該第１の閾値以下の場合に第１候補文字のコードを認識結果として出力し、第１候補文字の距離が該第１の閾値を越える場合にはリジェクト信号を出力し、文字コードが１つでも一致しない場合に、第１候補文字の距離と当該第１候補文字に対応する第２の閾値を比較し、第１候補文字の距離が該第２の閾値以下の場合に第１候補文字のコードを認識結果として出力し、第１候補文字の距離が該第２の閾値を越える場合にはリジェクト信号を出力する。従って、第２の発明と同様、誤認識率の低減に加えリジェクト判定性能のいっそうの向上が実現する。
【００１５】
【実施例】
図１は本発明に基づく文字認識装置の一実施例の文字認識処理ブロック１０の構成図であり、１１は文字特徴格納部、１２は認識部、１３は辞書部、１４はリジェクト判定部である。
文字特徴格納部１１は１文字分のパターンＣｐを入力し文字パターンＣｐの特徴量Ｆｄとの距離計算を行う。
認識部１２は文字特徴格納部１１での距離計算で得られた距離の小さい順（昇順）に当該距離および当該距離の文字コードを格納する。
辞書部１３は、例えば数字、カタカナなどの標準的な特徴量Ｆｄおよび文字コード等から構成されるテンプレート構成をなし、各文字種に対して予め複数個のテンプレートを格納している。
ここで、図２は辞書部１３の辞書テーブル構成の一例であり、辞書テーブルはテーブル番号ＮＴ，文字コードＣ，第１の閾値Ｔｈ１，第２の閾値Ｔｈ２，および標準特徴量Ｆｉで構成されている。
図２に示す構成では文字種Ｃ１の辞書はテーブル番号１から３まで３種類あり、文字種Ｃ２の辞書はテーブル番号１，２の２種類である。なお、特徴量の２番目の添字ｎは１文字の特徴数であり、特徴抽出の方法により異なる。
【００１６】
リジェクト判定部１４は認識部１２で得た第１候補文字と第２候補文字のコードを比較し、文字コードが一致した場合は第１候補文字の距離ｄ１と第１の閾値Ｔｈ１を比較し、距離ｄ１が第１の閾値Ｔｈ１以下の場合に第１候補文字のコードを認識結果として出力する。また、第１候補となった文字と他の候補文字のコードを比較の結果が文字コード不一致の場合は、認識部１２で第１候補となった文字の距離ｄ１と第２の閾値Ｔｈ２を比較し、距離ｄ１が第２の閾値Ｔｈ２以下の場合に第１候補文字のコードを認識結果として出力する。
【００１７】
以下、文字認識ブロック１０の動作について説明する。
先ず、文字特徴格納部１１で１文字分の文字パターンＣｐを入力し文字パターンＣｐの特徴量Ｆｉを抽出し、格納する。
【００１８】
次に、認識部１２で文字特徴格納部１１で格納した文字パターンＣｐの特徴量Ｆｉを取込み、辞書部１３の標準特徴量Ｆｄとの距離ＤＳを全テーブルについて計算する。そして距離を基準に昇順にソート（分類）を行い、距離の小さなものから順にの文字候補を取り出しその文字コードおよび距離を格納する。
【００１９】
ここで、図３はリジェクト判定部１４の動作例を示すフローチャートである。ステップＳ１でリジェクト判定部１４は、認識部１２で得た第１候補の文字と第２候補文字のコードを比較する。
【００２０】
第１候補の文字コードと第２候補の文字コードが一致した場合にはステップＳ２で認識部１２に格納されている第１候補文字の距離を辞書部１３の辞書テーブルの第１の閾値と比較し、第１候補文字の距離が第１の閾値以下の場合はステップＳ５で第１候補文字のコードを認識結果として出力し、第１の閾値を越える場合はステップＳ４でリジェクト信号を出力する。
【００２１】
また、第１候補の文字コードと第２候補の文字コードが一致しなかった場合にはステップＳ３で認識部１２に格納されている第１候補文字の距離を辞書部１３の辞書テーブルの第２の閾値と比較し、第１候補文字の距離が第２の閾値以下の場合はステップＳ５で第１候補文字のコードを認識結果として出力し、第２の閾値を越える場合はステップＳ４でリジェクト信号を出力する。
【００２２】
例えば、図２の辞書テーブルで文字コードＣ１の文字を’Ａ’、文字コードＣ２の文字を’Ｂ’とし、第１の閾値Ｔｈ１１，Ｔｈ１２，Ｔｈ１３，Ｔｈ１４，Ｔｈ１５を２００、第２の閾値Ｔｈ２１，Ｔｈ２２，Ｔｈ２３，Ｔｈ２４，Ｔｈ２５を１００としたとき、未知の文字の文字パターンＣｐが’Ａ’であり、認識部１２では次のような結果を得たものとする。
第１候補文字について、
テーブル番号・・・１、文字コード・・・Ｃ１，距離・・・１７０
第２候補文字について、
テーブル番号・・・２、文字コード・・・Ｃ１，距離・・・２１０
この場合、リジェクト判定部１４は図３の処理フローに従いステップＳ１で第１候補の文字コードと第２候補の文字コードを比較し、両者が一致しているのでステップ２に移行する。
ステップＳ２では第１候補文字の距離’１７０’が第１の閾値Ｔｈ１１（＝２００）よりも小さいのでステップＳ５に移行し第１候補の文字コードＣ１が認識結果として出力される。
【００２３】
次に、文字パターンＣｐが’Ｂ’であり、認識部１２では次のような結果を得たものとする。
第１候補文字について、
テーブル番号・・・４、文字コード・・・Ｃ２，距離・・・１７０
第２候補文字について、
テーブル番号・・・２、文字コード・・・Ｃ１，距離・・・２１０
この場合、リジェクト判定部１４は図３の処理フローに従いステップＳ１で第１候補の文字コードと第２候補の文字コードを比較し、両者が一致していないのでステップ３に移行する。
ステップＳ３では第１候補文字の距離’１７０’が第２の閾値Ｔｈ２１（＝１００）よりも大きいのでステップＳ４に移行し、リジェクト信号が出力される。
【００２４】
なお、図３では第１候補文字のコードと第２候補文字のコードとの比較のみを行っているが、これに限られず図４に示すように第１候補文字のコードと第２候補文字のコードが異なる場合に、更に、ステップＳ３’で第１候補文字のコードと第３候補文字のコードの比較を行い、第１候補文字のコードと第３候補文字のコードが一致した場合にステップＳ７で第１候補文字の距離と第２の閾値を比較し、第１候補文字の距離が第２の閾値以下の場合はステップＳ５に移行して第１候補文字のコードを認識結果として出力し、第１候補文字の距離が第２の閾値を越える場合はステップＳ４に移行してリジェクト信号を認識結果として出力するようにし、第１候補文字のコードと第３候補文字のコードが一致しない場合にステップＳ６で第１候補文字の距離と第３の閾値を比較し、第１候補文字の距離が第３の閾値以下の場合はステップＳ５に移行して第１候補文字のコードを認識結果として出力し、第１候補文字の距離が第２の閾値を越える場合はステップＳ４に移行してリジェクト信号を認識結果として出力すするように構成してもよい。
【００２５】
同様に、ステップＳ３’で第１候補文字のコードと第３候補文字のコードが一致しない場合に第１候補文字のコードと第４候補文字のコードの比較を行い・・・、第１候補文字のコードと第４候補文字のコードが一致しない場合に第１候補文字のコードと第５候補文字のコードの比較を行い・・、と拡張することもできる。
【００２６】
また、図５に示すようにステップＳ１’で第１候補文字のコード，第２候補文字のコード，および第３候補文字のコードを比較し第１候補文字のコード，第２候補文字のコード，および第３候補文字のコードが全て等しい場合に、ステップＳ２で第１候補文字の距離を第１の閾値と比較し、第１候補文字の距離が第１の閾値以下の場合はステップＳ５で第１候補文字のコードを認識結果として出力し、第１の閾値を越える場合はステップＳ４でリジェクト信号を認識結果として出力し、第１候補文字のコード，第２候補文字のコード，または第３候補文字のコードが一つでも一致しなかった場合にはステップＳ３で第１候補文字の距離を辞書部第２の閾値と比較し、第１候補文字の距離が第２の閾値以下の場合はステップＳ５で第１候補文字のコードを認識結果として出力し、第２の閾値を越える場合はステップＳ４でリジェクト信号を認識結果として出力するように構成してもよい。
【００２７】
同様に、ステップＳ１’で第１候補文字のコード，第２候補文字のコード，第３候補文字のコード，および第４候補文字のコードを比較し、第１候補文字のコード，第２候補文字のコード，第３候補文字のコード，および第４候補文字のコードが全て等しい場合にステップＳ２へ、等しくない場合にステップＳ３に移行するよう構成することもでき、これを拡張して、ステップＳ１’で第１候補文字，第１候補文字のコード，第２候補文字のコード，・・・，および第ｉ候補文字のコードを比較し、第１候補文字のコード，第２候補文字のコード，・・・および第ｉ候補文字のコードが全て等しい場合にステップＳ２へ、等しくない場合にステップＳ３に移行するよう構成することもできる。
【００２８】
【発明の効果】
以上説明したように第１の発明の文字認識装置は、第１候補文字のコードと第２候補文字のコードの比較を行い、その結果により第１候補文字の距離とその第１候補文字に対応する第１の閾値との閾値判定を行い、閾値判定の結果により第１候補文字を認識文字として出力するか、或いはリジェクト信号を出力するので、従来技術の文字認識装置に比べいっそうの誤認識率の低減を実現できる。
【００２９】
第２発明の文字認識装置は、文字コードが一致しない場合に、更に、第１候補文字のコードと第３候補文字のコードを比較し、第１候補文字の距離と当該第１候補文字に対応する第３の閾値を比較し、第１候補文字の距離が該第３の閾値以下の場合に第１候補文字のコードを認識結果として出力し、第１候補文字の距離が該第３の閾値を越える場合にはリジェクト信号を出力するので、誤認識率の低減に加えリジェクト判定性能のいっそうの向上が実現する。
【００３０】
第３の発明の文字認識装置は、認識部で第１候補となった候補文字のコード，第２候補文字のコード，・・・，第ｉ候補文字のコードとを比較し、全ての文字コードが一致するか否かにより、第１候補文字の距離とその第１候補文字に対応する第１の閾値との閾値判定を行い、閾値判定の結果により第１候補文字を認識文字として出力するか、或いはリジェクト信号を出力するので、誤認識率の低減に加えリジェクト判定性能のいっそうの向上が実現する。
【図面の簡単な説明】
【図１】本発明に基づく文字認識装置の一実施例の文字認識処理ブロックの構成図である。
【図２】辞書部のテーブル構成の一例である。
【図３】リジェクト判定部の第１の動作例を示すフローチャートである。
【図４】リジェクト判定部の第２の動作例を示すフローチャートである。
【図５】リジェクト判定部の第３の動作例を示すフローチャートである。
【符号の説明】
１０  文字認識処理ブロック
１１  文字特徴格納部
１２  認識部
１３  辞書部
１４  リジェクト判定部
【図１】
0003659688.tif 000002
【図２】
0003659688.tif 000003
【図３】
0003659688.tif 000004
【図４】
0003659688.tif 000005
【図５】
0003659688.tif 000006